【事件の表示】
　平成　８年特許願第１８４３０５号「核スピントモグラフィ装置における画像シェーデングの防止装置」拒絶査定不服審判事件〔平成　９年　５月　６日出願公開、特開平　９−１１７４２６〕について、次のとおり審決する。
【結　論】
　本件審判の請求は、成り立たない。
【理　由】
第１　手続の経緯 
　本願は、平成８年６月３日（パリ条約による優先権主張１９９５年６月１日、ドイツ連邦共和国）にされた特許出願（平成８年特許願１８４３０５号。以下「本件出願」という。）につき、平成１７年６月１５日付けで拒絶査定がなされ、同月２３日に発送されたところ、拒絶査定に対する審判が同年９月２１日に請求されたものである。　
　　　　　　　　　　
第２　本件出願に係る発明
　本件出願の請求項１〜６に係る発明は、平成１７年４月２２日付け手続補正書により補正された明細書及び図面の記載からみて、特許請求の範囲の請求項１〜６に記載された事項により特定されるとおりのものであって、その請求項１に係る発明（以下、「本願発明」という。）は次のとおりのものと認める。
　　　　　　　　 
 【請求項１】「　マルチエコーシーケンスで作動される核スピントモグラフィ装置における画像シェーデングの防止装置であって、或1つの時点ｔｏにて励起高周波パルス（ＲＦ１）によりスピンの横磁化を被検対象物内に生成し、前記励起高周波パルス（ＲＦ１）につづいて、時点ｔ１，ｔ３，ｔ５・・・にて 、横磁化をリフェーズする少なくとも２つのリフォーカシング高周波パルス（ＲＦ２，ＲＦ３，ＲＦ４・・・）を後続継起させ、そして時点ｔ２，ｔ４，ｔ６・・・にて読出インターバルを後続継起させるようにした当該装置において、
　パルスシーケンスの期間中印加される磁場勾配（Ｇ）は少なくとも１つの方向で次の条件を充足するようにし、即ち、
　　【数１】（別紙）
　但し、ｎは２以上の整数であるようにしたことを特徴とする核スピントモグラフィ装置における画像シェーデングの防止装置」
　
　 なお、「少なくとも２つのリフォーカシング高周波パルス（ＲＦ１，ＲＦ２，ＲＦ３，ＲＦ４・・・）」は「少なくとも２つのリフォーカシング高周波パルス（ＲＦ２，ＲＦ３，ＲＦ４・・・）」の誤記、「ｎは自然数である」は「ｎは２以上の整数である」の誤記として上記のごとく認定した。
　　　　 
第３　引用刊行物に記載された発明 
　原査定の拒絶の理由に引用された特開平６−２４５９２０号公報（以下、「引用刊行物Ａ」という。）には、 
（Ａ−１）「【０００１】
【産業上の利用分野】この発明は、ＮＭＲ（核磁気共鳴）現象を利用してイメージングを行うＭＲイメージング装置に関し、とくにタギング撮像法により被検体の動態を観察するＭＲイメージング装置に関する。」こと、
（Ａ−２）「【０００６】
【課題を解決するための手段】上記の目的を達成するため、この発明によるＭＲイメージング装置においては、１個の章動ＲＦパルスとそれに続く複数のリフォーカスＲＦパルスとを被検体に照射して順次エコー信号を発生させ、各ＲＦパルスと同時にスライス選択用傾斜磁場パルスを印加するとともに、位相エンコード用傾斜磁場パルスを印加し、さらに各エコー信号について読み出し用傾斜磁場パルスを印加し、傾斜磁場パルスを制御することによりプライマリエコー成分とスティミュレイテッドエコー成分を分離させた上でこれら２つの成分の信号から同時にデータ収集し、収集したデータから画像を再構成することが特徴となっている。
・・・
【０００８】
【実施例】以下、この発明の好ましい一実施例について図面を参照しながら詳細に説明する。この発明の一実施例では、図１に示すようなパルスシーケンスを図２に示すような構成で行なう。まず、図２について説明すると、主マグネット１は静磁場を発生するためのもので、この静磁場に重畳するように傾斜磁場コイル２によって傾斜磁場が印加される。傾斜磁場コイル２はＸ、Ｙ、Ｚの３軸方向に磁場強度がそれぞれ傾斜する傾斜磁場を発生する。これら３軸方向の傾斜磁場の任意の１つを選択し、あるいは任意の複数個を組み合わせることにより、後述のスライス選択用傾斜磁場Ｇｓ、読み出し（及び周波数エンコード）用傾斜磁場Ｇｒ、位相エンコード用傾斜磁場Ｇｐが形成される。被検体３はこの静磁場及び傾斜磁場が加えられる空間に配置される。この被検体３には、励起ＲＦパルスを被検体３に照射するとともにこの被検体３で発生したＮＭＲ信号を受信するためのＲＦコイル４が取り付けられている。
【０００９】傾斜磁場コイル２には傾斜磁場電源５が接続され、図１のＧｒ、Ｇｐ、Ｇｓで示すような波形のパルスとされた傾斜磁場発生用電力が供給される。ＲＦコイル４には切換器６を介して送信パワーアンプ７とプリアンプ１０とが接続されている。この切換器６は励起時には送信パワーアンプ７側に切り換えられ、受信時にはプリアンプ１０側に切り換えられる。送信パワーアンプ７には、信号発生器９からのＲＦキャリア信号を送信回路８において所定波形の変調信号で振幅変調したＲＦ信号が送られてくる。プリアンプ１０には受信回路１１が接続され、信号発生器９からの信号を参照信号として受信信号の位相検波が行なわれる。検波された信号はＡ／Ｄ変換器１２によりサンプリングされデジタルデータに変換されてコンピュータ１３に取り込まれる。
【００１０】コンピュータ１３は、送信回路８における励起ＲＦパルスの変調信号波形を制御し、信号発生器９の周波数を定め、Ａ／Ｄ変換器１２のサンプリングタイミング及び周波数を定める。また、傾斜磁場電源５を制御して傾斜磁場パルスのタイミング、波形、強度等を任意にプログラムする。さらに、収集したデジタルデータから画像を再構成する処理などを行なう。表示装置１４は再構成画像などを表示する。」こと、
（Ａ−３）「【００１１】このようなＭＲイメージング装置において、コンピュータ１３の制御の下に図１に示すようなパルスシーケンスを行なう。この図１のパルスシーケンスはいわゆるマルチプルスピンエコー法によるもので、１個の章動ＲＦパルス（９０°パルス）２１を印加すると同時にスライス選択用傾斜磁場Ｇｓ５１のパルスを加え、つぎに４個のリフォーカスＲＦパルス（１８０°パルス）２２〜２５を、Ｇｓパルス５２〜５５とともに順次加えていく。
【００１２】そして、９０°パルス２１と最初の１８０°パルス２２との間にＧｒパルス３１を加え、さらに１８０°パルス２２〜２５の各々の後に、Ｇｒパルス３２〜３５およびＧｐパルス４１〜４８を加えることにより、位相を揃えてエコー信号を発生させるとともに、周波数エンコードおよび位相エンコードを行なう。Ｇｐパルス４１、４３、４５、４７が位相エンコード用であり、すべて同一の位相エンコードステップとなるよう制御されている。Ｇｐパルス４２、４４、４６、４８はリワインド用であり、それらの各々の前のＧｐパルス４１、４３、４５、４７と同一波高値で極性を反転させてある。
【００１３】この場合、通常であれば、図１のＡで示すようにＥ１〜Ｅ４の各時点で第１〜第４のエコー信号を得るようにするのであるが、この実施例ではＧｒパルス３１の波高値を増大させて図１のＢで示すようにＥ１、Ｅ２、Ｅ’２、…でエコー信号を得るようにする。なお、この図１のＡ、Ｂでは縦軸は各エコーの位相の進み量を示す（このような図示の仕方はたとえば、Y. Zur, et al.; Journal of Magnetic Resonance, 71, 212-228, 1987を参照）。」こと、
（Ａ−４）「【００１４】これをもう少し詳しく説明すると、スピンエコー法では、９０°パルス２１によりスピンを９０°倒し、１８０°パルス２２を加えることにより反転させて位相が揃ってくることによりエコー信号を発生させるのであるが、実際にはリフォーカスパルスの不完全性により１つのリフォーカスパルス２２では９０°しか倒れず２つのリフォーカスパルス２２、２３が印加されて始めて位相が反転する成分があり、前者の成分をプライマリエコー成分、後者の成分をスティミュレイテッドエコー成分と称する。図１のＡ、Ｂではプライマリエコー成分の位相進み量を実線で、スティミュレイテッドエコー成分の位相進み量を点線で示している。
【００１５】通常のパルスシーケンスの設計では、このプライマリエコー成分とスティミュレイテッドエコー成分の位相進み量が等しくなるようにされており、これによって図１のＡで示すようにＥ２（当審注：Ｅ１はＥ２の誤記）〜Ｅ４の各時点でプライマリエコー成分とスティミュレイテッドエコー成分の位相が同時に揃うことになり、２つの成分のエコー信号が同時に発生する。これに対して、上記の実施例ではＧｒパルス３１の波高値をＧｒパルス３２、３３、３４、３５よりも増大させ、これにより各成分の位相進み量を図１のＢで示すように変化させている。すなわち、Ｇｒパルス３１の波高値を大きくしたため９０°パルス２１から１８０°パルス２２までの期間での位相進み量がより大きくなって、図１のＢの傾きは図１のＡよりも大きくなっているが、他の期間では位相進み量は図１のＡとＢとで同じであり傾きは等しくなっている。」ことが記載されている。
（Ａ−５）また、図１には、
　（１）プライマリエコー成分の位相進み量を示す実線とスティミュレイテッドエコー成分の位相進み量を示す点線がリフォーカスＲＦパルス（１８０°パルス）２３と２４の間、及び２４と２５の間のそれぞれ位相０の位置で交差していること、
　（２）１個の章動ＲＦパルス（９０°パルス）２１が印加された後に、４個のリフォーカスＲＦパルス（１８０°パルス）２２〜２５が順次印加されること、
　（３）Ｇｒパルス３１の幅よりＧｒパルス３２〜３５のパルスの幅の方が広く、波高値がほぼ等しいこと、
　がそれぞれ描かれている。
　上記（Ａ−１）〜（Ａ−５）の記載のうち、特に図１のＡに関連する記載に注目すると、上記引用刊行物Ａには、
「マルチプルスピンエコー法によるパルスシーケンスで制御するコンピュータを有するＭＲイメージング装置であって、
　１個の章動ＲＦパルス（９０°パルス）２１が印加された後に、４個のリフォーカスＲＦパルス（１８０°パルス）２２〜２５が順次印加され、
　１個の章動ＲＦパルス（９０°パルス）２１と最初のリフォーカスＲＦパルス（１８０°パルス）２２との間にＧｒパルス３１を加え、さらにリフォーカスＲＦパルス（１８０°パルス）２２〜２５の各々の後に、読み出し（及び周波数エンコード）用傾斜磁場Ｇｒパルス３２〜３５を加えるようにしたＭＲイメージング装置。」の発明（以下、「引用発明」という。）が記載されている。
　　　　　　　　　　　
第４　対比・判断 
（４ａ−１）本願発明と引用発明とを対比する。 
　（i）引用発明の「ＭＲイメージング装置」は、ＮＭＲ（核磁気共鳴）現象を利用してイメージングを行う装置であり、コンピュータによりマルチプルスピンエコー法によるパルスシーケンスで制御することから、本願発明の「マルチエコーシーケンスで作動される核スピントモグラフィ装置」に相当する。
　（ii）引用発明の「章動ＲＦパルス（９０°パルス）２１」、「リフォーカスＲＦパルス（１８０°パルス）２２〜２５」が、それぞれ本願発明の「励起高周波パルス（ＲＦ１）」、「少なくとも２つのリフォーカシング高周波パルス（ＲＦ２，ＲＦ３，ＲＦ４・・・）」に相当する。
　（iii）引用発明の「ＭＲイメージング装置」は、１個の章動ＲＦパルスとそれに続く複数のリフォーカスＲＦパルスとを被検体に照射して順次エコー信号を発生させるものであって、章動ＲＦパルスを被検体に照射することによりスピンを９０°倒すことから、引用発明の「１個の章動ＲＦパルス（９０°パルス）２１」は、本願発明の「励起高周波パルス（ＲＦ１）」と同様に、「或1つの時点ｔｏ」に、「スピンの横磁化を被検対象物内に生成」するものである。
　さらに、引用発明の「リフォーカスＲＦパルス（１８０°パルス）２２〜２５」は、１個の章動ＲＦパルス（９０°パルス）２１によりスピンを９０°倒し、その後順次加えることによりスピンを反転させて位相が揃ってくることによりエコー信号を発生させるパルスであるから、本願発明の「少なくとも２つのリフォーカシング高周波パルス（ＲＦ２，ＲＦ３，ＲＦ４・・・）」と同様に「前記励起高周波パルス（ＲＦ１）につづいて、時点ｔ１，ｔ３，ｔ５・・・にて 、横磁化をリフェーズする」ものであり、「前記励起高周波パルス（ＲＦ１）につづいて」、「後続継起させ」られるパルスである。
　（iv）引用発明の「読み出し（及び周波数エンコード）用傾斜磁場Ｇｒパルス３２〜３５」が、本願発明の「読出インターバル」に相当する。
　そして、引用発明の「読み出し（及び周波数エンコード）用傾斜磁場Ｇｒパルス３２〜３５」は、リフォーカスＲＦパルス（１８０°パルス）２２〜２５の各々の後に加えられていることから、本願発明の「読出インターバル」と同様に「時点ｔ２，ｔ４，ｔ６・・・にて」「後続継起」させられるものである。
　そうすると、本願発明と引用発明とは、
「マルチエコーシーケンスで作動される核スピントモグラフィ装置であって、
　或1つの時点ｔｏにて励起高周波パルス（ＲＦ１）によりスピンの横磁化を被検対象物内に生成し、前記励起高周波パルス（ＲＦ１）につづいて、時点ｔ１，ｔ３，ｔ５・・・にて 、横磁化をリフェーズする少なくとも２つのリフォーカシング高周波パルス（ＲＦ２，ＲＦ３，ＲＦ４・・・）を後続継起させ、そして時点ｔ２，ｔ４，ｔ６・・・にて読出インターバルを後続継起させるようにした核スピントモグラフィ装置。」である点で一致し、次の相違点（ア）で相違している。
・相違点（ア）
　本願発明の核スピントモグラフィ装置が「画像シェーデングの防止装置」を備えており、その「画像シェーデングの防止装置」は「パルスシーケンスの期間中印加される磁場勾配（Ｇ）は少なくとも１つの方向で次の条件を充足するようにし、即ち、
　　【数１】（別紙）
　但し、ｎは２以上の整数である核スピントモグラフィ装置における画像シェーデングの防止装置」であるのに対して、引用刊行物Ａにはそのような記載がない点。
　　　　　
（４ａ−２）当審の判断 
（ａ）本件出願の特許請求の範囲の請求項４には、「請求項１から３までのうち何れか１項記載の装置であって、各核共鳴信号（Ｓ）が長さＴ及び振幅Ａの読出磁場勾配（ＧＲ）のもとで読出され、そして、励起高周波パルス（ＲＦ１）と第１のリフォーカシング高周波パルス（ＲＦ２）との間にプリフェーズパルス（ＧＲＶ）が読出方向に挿入されるようにした当該装置において、　前記プリフェーズパルス（ＧＲＶ）は振幅Ａ及び長さＴ／２を有することを特徴とする装置。」と記載されていることから、本願発明の【数１】を満たす例として読出磁場勾配（ＧＲ）とプリフェーズパルス（ＧＲＶ）、すなわち、読出インターバルのパルスが含まれることは明らかである。そこで、引用発明の１個の章動ＲＦパルス（９０°パルス）２１と最初のリフォーカスＲＦパルス（１８０°パルス）２２との間に加えられるＧｒパルス３１と読み出し用傾斜磁場Ｇｒパルス３２〜３５について判断する。
（ｂ）上記引用刊行物Ａの（Ａ−４）には「【００１４】・・・スピンエコー法では、９０°パルス２１によりスピンを９０°倒し、１８０°パルス２２を加えることにより反転させて位相が揃ってくることによりエコー信号を発生させるのであるが、実際にはリフォーカスパルスの不完全性により１つのリフォーカスパルス２２では９０°しか倒れず２つのリフォーカスパルス２２、２３が印加されて始めて位相が反転する成分があり、前者の成分をプライマリエコー成分、後者の成分をスティミュレイテッドエコー成分と称する。【００１５】通常のパルスシーケンスの設計では、このプライマリエコー成分とスティミュレイテッドエコー成分の位相進み量が等しくなるようにされており、これによって図１のＡで示すようにＥ２〜Ｅ４の各時点でプライマリエコー成分とスティミュレイテッドエコー成分の位相が同時に揃うことになり、２つの成分のエコー信号が同時に発生する。」ことが記載されていることから、引用発明のマルチプルスピンエコー法によるパルスシーケンスでは、プライマリエコー成分とスティミュレイテッドエコー成分の位相が同時に揃うことにより、２つの成分のエコー信号が同時に発生することになる。
　ところで、上記引用刊行物Ａの（Ａ−５）には、プライマリエコー成分とスティミュレイテッドエコー成分の位相が同時に揃うことにより、２つの成分のエコー信号が同時に発生するためのパルスシーケンスとして、１個の章動ＲＦパルス（９０°パルス）２１と最初のリフォーカスＲＦパルス（１８０°パルス）２２との間に加えられるＧｒパルス３１のパルス幅より、読み出し用傾斜磁場Ｇｒパルス３２〜３５のパルス幅の方が広く、波高値がほぼ等しくしてパルスを加えるパルスシーケンスが記載されており、さらに、プライマリエコー成分とスティミュレイテッドエコー成分の位相が同時に揃うように２つの成分のエコー信号が同時に発生するためのパルスシーケンスとしては、例えば特開平２−６５８４２号公報の１頁右下欄１０行〜２頁右上欄６行、及び第２図に記載されているように、１個の章動ＲＦパルス（９０°パルス）と最初のリフォーカスＲＦパルス（１８０°パルス）との間に加えられるパルス幅に対して、読み出し用傾斜磁場パルスのパルス幅を２倍の大きさとするとともにパルスの波高値をほぼ等しくしていることから、引用発明においても、プライマリエコー成分とスティミュレイテッドエコー成分の位相が同時に揃うように２つの成分のエコー信号が同時に発生するためのパルスシーケンスとして、１個の章動ＲＦパルス（９０°パルス）と最初のリフォーカスＲＦパルス（１８０°パルス）との間に加えられるＧｒパルス３１のパルス幅に対して、読み出し用傾斜磁場パルスＧｒ３２〜３５のパルス幅を２倍の大きさとするとともに波高値をほぼ等しくしているものと推認される。そして、１個の章動ＲＦパルス（９０°パルス）と最初のリフォーカスＲＦパルス（１８０°パルス）との間に加えられるパルスに対して、読み出し用傾斜磁場パルスのパルス幅を２倍の大きさとするとともに波高値を同じにすることは、例えば特開昭６０−１３８４４６号公報の第６頁右下欄３〜１１行及び第６図（特に、式（２）〜（５）において、読み出し（傾斜磁場）勾配Ｇxのパルスが期間０〜τ、τ〜２τ、２τ〜３τ、３τ〜４τで積分される際、同じ大きさの読み出し（傾斜磁場）勾配Ｇxとして計算されていることから、１個の章動ＲＦパルス（９０°パルス）と最初のリフォーカスＲＦパルス（１８０°パルス）との間に加えられるパルスと、読み出し用傾斜磁場パルスとは波高値が同じで、かつ、パルス幅は２倍であることになる）、又は特開平６−１６９８９６号公報の図５に記載されているように、技術常識であるから、引用発明の１個の章動ＲＦパルス（９０°パルス）と最初のリフォーカスＲＦパルス（１８０°パルス）との間に加えられるＧｒパルス３１に対して、読み出し用傾斜磁場パルスＧｒパルス３２〜３５は波高値が同じでパルス幅が２倍であるものと推認される。
　（ｃ）　一方、核スピンの共鳴周波数ω、磁界Ｂ、核磁気回転比γ、各スピンの位相Φとすると、これらには電磁気学的にみて、
　ω＝γＢ、Φ＝∫ωｄｔ＝∫γＢｄｔ　　　　　（１）
の関係があり、
　さらに、基本磁場Ｂ0と磁場勾配による不均一な磁場Ｂx、Ｂy、Ｂzが加わる磁場Ｂについては、例えば特開昭６０−１８９９０５号公報の３頁左下欄１４行に記載されているように、
　｜Ｂ｜＝Ｂ0＋Ｂz＋（Ｂx２＋Ｂy２）／２Ｂ0＋・・・　（２）
の関係があることが知られている。
　また、Ｘ、Ｙ、Ｚ方向の各磁場Ｂx、Ｂy、Ｂｚと磁場勾配Ｇx、Ｇy、Ｇzとに、例えば特開平７−５１２４３号公報の段落番号【００２７】に記載されているように、
　Ｇx＝∂Ｂz／∂ｘ、Ｇy＝∂Ｂz／∂ｙ、Ｇz＝∂Ｂz／∂ｚ　
　の関係があり、Ｘ方向磁場勾配に対して
　Ｂz＝∫Ｇxｄｘ＝Ｇx・ｘ　　　　　（３）
　となり、さらにマックスウェルの方程式のｒｏｔＢ＝０より、Ｘ方向磁場勾配に対して、
　∂Ｂz／∂ｘ−∂Ｂx／∂ｚ＝０
　の式が得られる。この式は上記（３）より
　Ｇx−∂Ｂx／∂ｚ＝０
　の式となり、この式からＢxを求めると、
　Ｂx＝∫Ｇxｄｚ＝Ｇx・ｚ　　　　（４）
　の式が得られることは明らかである。
　上記（２）式に、式（３）、及び式（４）を代入すると、Ｘ方向勾配磁場に対して、
　｜Ｂ｜＝Ｂ0＋Ｇx・ｘ＋Ｇx２・ｚ２／２Ｂ0＋・・・　　　　（５）
　の関係式が得られることは明かな事項である。
（ｄ）ここで、引用発明のＧｒパルス３１〜３５が加えられる時間をｔ0、ｔ1、ｔ3、ｔ5、ｔ7とし、さらに、上記引用刊行物Ａの（Ａ−４）の段落番号【００１５】に記載されている、図１のＡで示されるＥ１〜Ｅ４のうち、プライマリエコー成分とスティミュレイテッドエコー成分の位相が同時に揃うように２つの成分のエコー信号が同時に発生する各時点Ｅ２〜Ｅ４の時間をｔ2、ｔ4、ｔ6、ｔ8とすると、スピンの位相Φは上記（ａ）において例示した特開昭６０−１３８４４６号公報の第６図、又は特開平６−１６９８９６号公報の図５に記載されているように読み出し用傾斜磁場Ｇｒパルス３２〜３５が加えられるとＧｒパルス３２〜３５の中央で位相Φが反転することになるから、例えばＧｒパルス３１〜３３が加えられたときのプライマリエコー成分のｔ4の時点でのスピン位相Φpは、上式（１）を用いると、
Φp＝∫ｔ0ｔ1γＢｄｔ−∫ｔ1ｔ３γＢｄｔ＋∫ｔ３ｔ４γＢｄｔ （６）
となり、スティミュレイテッドエコー成分のｔ4の時点でのスピン位相Φsは、
Φs＝−∫ｔ0ｔ1γＢｄｔ＋∫ｔ３ｔ４γＢｄｔ　　（７）
となることは明らかである。（当審注：式（６）、式（７）において、例えば、∫ｔ0ｔ1　　は時間ｔ0〜ｔ1の積分を意味する。）
　ここでプライマリエコー成分とスティミュレイテッドエコー成分の位相が同時に揃うよう位相が発生することから、Φp＝Φsであり、Φp−Φs＝０が成り立つはずである。そこでプライマリエコー成分によるスピン位相Φpとスティミュレイテッドエコー成分によるスピン位相Φsとの位相差Φp−Φsについて検討すると、上式（６）及び（７）から、
　Φp−Φs
＝∫ｔ0ｔ1γＢｄｔ−∫ｔ1ｔ３γＢｄｔ＋∫ｔ３ｔ４γＢｄｔ−（−∫ｔ0ｔ1γＢｄｔ＋∫ｔ３ｔ４γＢｄｔ）
＝２∫ｔ0ｔ1γＢｄｔ−∫ｔ1ｔ３γＢｄｔ　　　（８）
　の関係が成り立つ。ここで、上記式（５）の磁場勾配Ｇxの一次の項については、
　Φp（一次）−Φs（一次）
＝２∫ｔ0ｔ1γＧx・ｘｄｔ−∫ｔ1ｔ３γＧx・ｘｄｔ
＝γｘ（２∫ｔ0ｔ1Ｇxｄｔ−∫ｔ1ｔ３Ｇxｄｔ）　　　（９）
上記式（５）の磁場勾配Ｇxの二次の項については、同様に、
　Φp（二次）−Φs（二次）
＝γｘ２（２∫ｔ0ｔ1Ｇx２ｄｔ−∫ｔ1ｔ３Ｇx２ｄｔ）/２Ｂ0　（１０）
となることは明らかである。　
（ｅ）上記（ｂ）に記載したように、引用発明の１個の章動ＲＦパルス（９０°パルス）と最初のリフォーカスＲＦパルス（１８０°パルス）との間に加えられるＧｒパルス３１に対して、読み出し用傾斜磁場Ｇｒパルス３２〜３５はパルス幅の大きさが２倍で、波高値が同じであるものと推認されることから、Ｇｒパルス３１のパルス幅をＴ、波高値をＡとすると、読み出し用傾斜磁場パルスＧｒパルス３２〜３５のパルス幅は２Ｔ、波高値はＡとなる。
　この値を上記（ｄ）の式（９）、式（１０）に代入すると、
　Φp（一次）−Φs（一次）
＝γｘ（２Ａ・Ｔ−Ａ・２Ｔ）＝０
　また、
　Φp（二次）−Φs（二次）
＝γｘ２（２Ａ２・Ｔ−Ａ２・２Ｔ）/２Ｂ0＝０
　となる。　
（ｆ）そうすると、上記（ｄ）の式（１０）において、
　Φp（二次）−Φs（二次）＝０
　すなわち、
　∫ｔ0ｔ1Ｇx２ｄｔ＝（１／２）・∫ｔ1ｔ３Ｇx２ｄｔ
　が成り立つから、引用発明の１個の章動ＲＦパルス（９０°パルス）と最初のリフォーカスＲＦパルス（１８０°パルス）との間に加えられるＧｒパルス３１と、読み出し用傾斜磁場Ｇｒパルス３２〜３５は、本願発明の【数１】の式のｎ＝２の場合と同様に「パルスシーケンスの期間中印加される磁場勾配（Ｇ）は少なくとも１つの方向で次の条件を充足するようにし、即ち、
　　【数１】（別紙）
　但し、ｎは２の整数である」を満たすことになる。そして、∫ｔ0ｔ1Ｇx２ｄｔ＝（１／２）・∫ｔ1ｔ３Ｇx２ｄｔが成り立つことにより、磁場勾配Ｇxの二次の項の影響が無くなる点で本願発明と同じ構成であるから、引用発明においても本願発明と同様に画像シェーデングが防止されるはずである。
　よって、引用発明のＭＲイメージング装置も本願発明の【数１】の式のｎ＝２の場合と同様に「画像シェーデングの防止装置装置」を備えており、その「画像シェーデングの防止装置」は「パルスシーケンスの期間中印加される磁場勾配（Ｇ）は少なくとも１つの方向で次の条件を充足するようにし、即ち、
　　【数１】（別紙）
　但し、ｎは２の整数である核スピントモグラフィ装置における画像シェーデングの防止装置」であることになる。
　してみると、本願発明の発明特定事項は、すべて引用刊行物Ａに示されているものであって、本願発明は、引用刊行物Ａに記載された発明である。
（ｇ）また、仮に上記（ｂ）に記載したように、引用発明において、１個の章動ＲＦパルス（９０°パルス）と最初のリフォーカスＲＦパルス（１８０°パルス）との間に加えられるＧｒパルス３１に対して、読み出し用傾斜磁場パルスＧｒ３２〜３５のパルス幅が２倍の大きさであり、波高値が同じでであることが推認できないとしても、上記（ｂ）に記載したごとく、１個の章動ＲＦパルス（９０°パルス）と最初のリフォーカスＲＦパルス（１８０°パルス）との間に加えられるＧｒパルス３１に対して、読み出し用傾斜磁場パルスＧｒ３２〜３５のパルス幅が２倍の大きさで、かつ、波高値を同じとすることは、特開昭６０−１３８４４６号公報の第６頁右下欄３〜１１行及び第６図、又は特開平６−１６９８９６号公報の図５に記載されているように技術常識であるから、引用発明においても１個の章動ＲＦパルス（９０°パルス）と最初のリフォーカスＲＦパルス（１８０°パルス）との間に加えられるＧｒパルス３１に対して、読み出し用傾斜磁場パルスＧｒ３２〜３５のパルス幅が２倍の大きさで、かつ、波高値を同じとすることは当業者が容易になし得るものである。
　さらに、１個の章動ＲＦパルス（９０°パルス）と最初のリフォーカスＲＦパルス（１８０°パルス）との間に加えられるＧｒパルス３１に対して、読み出し用傾斜磁場パルスＧｒ３２〜３５のパルス幅が２倍の大きさで、かつ、波高値を同じとすることにより、上記（ｅ）に記載したように、プライマリエコー成分によるスピン位相Φpとスティミュレイテッドエコー成分によるスピン位相Φsとの磁場勾配の二次の項による位相差を０とすることができることから、本願発明の【数１】の式のｎ＝２の場合と同様に「パルスシーケンスの期間中印加される磁場勾配（Ｇ）は少なくとも１つの方向で次の条件を充足するようにし、即ち、
　　【数１】（別紙）
　但し、ｎは２の整数である」を満たすことになる。
　そして、∫ｔ0ｔ1Ｇx２ｄｔ＝（１／２）・∫ｔ1ｔ３Ｇx２ｄｔが成り立つことにより、磁場勾配Ｇxの二次の項の影響が無くなる点で本願発明と同じ構成であるから、引用発明においても、１個の章動ＲＦパルス（９０°パルス）と最初のリフォーカスＲＦパルス（１８０°パルス）との間に加えられるＧｒパルス３１に対して、読み出し用傾斜磁場パルスＧｒ３２〜３５のパルス幅が２倍の大きさで、かつ、波高値を同じとすることにより、本願発明と同様に画像シェーデングが防止されるはずである。
　よって、引用発明のＭＲイメージング装置も画像シェーデングが防止されることから、引用発明においても１個の章動ＲＦパルス（９０°パルス）と最初のリフォーカスＲＦパルス（１８０°パルス）との間に加えられるＧｒパルス３１に対して、読み出し用傾斜磁場パルスＧｒ３２〜３５のパルス幅が２倍の大きさで、かつ、波高値を同じとすることにより、画像シェーデング防止ができるものであり、本願発明の【数１】のｎ＝２の場合と同様に「画像シェーデングの防止装置」を備えており、その「画像シェーデングの防止装置」は「パルスシーケンスの期間中印加される磁場勾配（Ｇ）は少なくとも１つの方向で次の条件を充足するようにし、即ち、
　　【数１】（別紙）
　但し、ｎは２の整数である核スピントモグラフィ装置における画像シェーデングの防止装置」であるように構成することは当業者が容易になし得るものである。
　そして、本願発明によってもたらされる効果は、上記引用発明及び技術常識から予測される範囲内のものであって、格別のものではない。 
　したがって、本願発明は、引用発明及び技術常識に基づいて当業者が容易に発明をすることができたものである。
　　　　　　　　　　　　
　なお、請求人は上申書において、
　「本件出願人は、平成１７年６月１５日付け（起案日）拒絶査定におけるご指摘に鑑みて、本願請求の範囲について以下の記載のように、旧請求項１における「…少なくとも１つの方向で次の条件を充足するようにし…」の事項を「…スライス選択方向で次の条件を充足するようにし…」（新請求項１）と「…位相エンコード方向で次の条件を充足するようにし…」（新請求項２）の事項に絞る限定的減縮を行う心づもりがありますので、なにとぞ補正の機会を与えていただけますよう宜しくご配慮賜りたく重ねてお願い申し上げます。」旨を主張しているが、拒絶の理由の通知時、及び拒絶査定時と二度の補正の機会が与えられていたにも拘わらず、請求人は補正しなかったことから、新たに補正の機会を与える必要性は認められないものであって、請求人の主張は採用できない。
　　　　　　　　　　　
第５　むすび 
　以上のとおりであるから、本願発明は特許法第２９条第１項第３号に掲げる発明に該当し、特許を受けることができないものであるか、もしくは、特許法第２９条第２項の規定により特許を受けることができないものであるので、その余の請求項に係る発明について検討するまでもなく、本件出願は、拒絶をすべきものである。 
　よって、結論のとおり審決する。 
　　　　　　　　　　　　　
　　　　　　　　　　　　　　　　
　　　　　　　　　　　　　　　　
　　　　　　　　　　　　　　　
　　　　　　　　　　　　　
　　　　　　　　　　　　　　　　
　　　　　　　　　　　　　　　
　　　　　　　　　　　　　
　　　　　　　　　　　　　　　
　　　　　　　　　　　　
　　　　　　　　　　　　　　　
　　　　　　　　　　　　　
　　　　　　　　　　　　　　　
　　　　　　　　　　　　　
　　　　　　　　　　　
　　　　　　　　　　　　
　　　　　　　　　　　
　　　　　　　　　　　　
　　　　　　　　　　　　　　
　　　　　　　　　　　　
　　　　　　　　　　　　　　　
　　　　　　　　　
　　　　　　　　　　　　
　　　　　
　　　　　　　　　　　　　　
　　　　　　　
　　　　　　　　
　　　　　　　　　　　　　　　　　
別紙